(57)【特許請求の範囲】
【請求項１】
診療対象の患者から複数の生体情報を計測する第１生体情報計測手段と、
前記複数の生体情報の中から特定の生体情報を抽出する抽出手段と、
患者のストレスを評価する評価値を前記特定の生体情報に基づいて設定する評価関数設定手段と、
前記評価値に基づいて患者のストレスの判定レベルを設定する判定レベル設定手段と、
前記判定レベルを患者のストレスに応じたストレス対応判定レベルに切換える判定レベル切換え手段と、を備えていることを特徴とする診療装置。
【請求項２】
請求項１記載の診療装置であって、
前記第1生体情報計測手段が計測する生体情報と異なった生体情報を計測する第２生体情報計測手段をさらに有し、
前記評価関数設定手段は、前記特定の生体情報及び前記第２生体情報計測手段の生体情報に基づいて患者のストレスを評価する評価値を設定することを特徴とする診療装置。
【請求項３】
請求項１又は２記載の診療装置であって、
前記評価関数設定手段は、前記特定の生体情報に重み付けして平均化することにより前記評価値を設定することを特徴とする診療装置。
【請求項４】
請求項１〜３のいずれか１項記載の診療装置であって、
前記評価値と、前記判定レベル又は前記ストレス対応判定レベルとを比較して患者のストレスの大小を判定する判定手段をさらに有していることを特徴とする診療装置。
【請求項５】
請求項１〜４のいずれか１項記載の診療装置であって、
前記第1生体情報計測手段は、少なくとも患者の呼吸数、呼吸波形、心拍数、心拍波形、体動のいずれかを計測することを特徴とする診療装置。
【請求項６】
請求項２記載の診療装置であって、
前記第２生体情報計測手段は、少なくとも患者の皮膚電位、手掌又は手指での発汗量、手掌又は手指を介しての筋肉の緊張度、血圧の変動、患者の疼痛度合いのいずれかを計測することを特徴とする診療装置。
【請求項７】
請求項４記載の診療装置であって、
前記判定手段が患者のストレスを大と判断したとき、これを医師に告知する告知手段、治療器具の出力を低減又は停止する治療制限手段、患者の緊張度合いを緩和する緊張緩和手段のいずれか１つあるいは複数を用いて処置する処置手段をさらに備えていることを特徴とする診療装置。
【請求項８】
請求項７記載の診療装置であって、
前記告知手段は、少なくとも前記判定レベルの表示器への表示、判定レベルのインスツルメントへの表示、治療箇所を照明するハンドピースライトの点滅、治療ユニットの無影灯の点滅、ドクターチェア装着のバイブレータの駆動、医師用のバイブレータの駆動又はブザー警報のいずれかを行うことを特徴とする診療装置。
【請求項９】
請求項７記載の診療装置であって、
前記緊張緩和手段は、少なくとも治療用椅子の緩やかな振動、ディスプレイの画像表示又はスピーカからの音楽提供のいずれかを行うことを特徴とする診療装置。
【発明の詳細な説明】
【技術分野】
【０００１】
本発明は、病気の治療や診断における患者への対応を迅速且つ確実に行うため、患者のストレスを容易に検知することが可能な診療装置に関する。
【背景技術】
【０００２】
例えば、歯科の治療や診断では、患者が歯科治療用椅子に着座することによりストレスが生じるばかりでなく、歯の切削、治療のタービンや電気エンジンの音によっても患者にストレスが生じる。このような患者のストレスは、歯科だけなく、耳鼻科や産婦人科、その他の病院の治療や診断においても同様に生じるばかりでなく、医療用ベッド、在宅診療時における自宅ベッドにおける治療や診断においても同様に生じる。このような治療や診断の際にストレスが生じると、自律神経系のコントロールが乱れるため、患者に悪影響を与える。このため、治療中や診断中においては、ストレスを検知して患者への対応を行う必要がある。以下、本発明において、治療及び診断を含めた概念として「診療」と記載する。
【０００３】
特許文献１には、診療中の患者への対応を行うため、診療時における患者のストレスを検知する従来の診療装置が記載されている。この診療装置は、診療中の患者が治療用椅子に着座した状態における患者の生体情報の変化を計測する生体情報計測手段と、患者の治療用椅子への着座時の生体情報中、生体情報の変化が少なくなった安定状態での数値を基準とする基準値設定手段と、診療中における患者の生体情報の変化量を計測する生体情報変化量計測手段と、生体情報計測手段からの生体情報と基準値設定手段からの基準値とを比較して、あるいは生体情報変化量測定手段からの変化量により、診療中の患者のストレスの判定を行う判定手段とを備えている。すなわち、従来の診療装置は、患者の生体情報の内、変化量が少なくなった安定状態での数値を判定の基準値として患者のストレスを検知するものである。
【先行技術文献】
【特許文献】
【０００４】
【特許文献１】特許第３９８２７５０号公報
【発明の概要】
【発明が解決しようとする課題】
【０００５】
しかしながら、診療の実際においては、患者の生体情報はストレスに応じて不安定に変化するため、生体情報の変化量が少なくなった安定状態を基準値として検知することが難しく、基準値の設定が困難であり、ストレスの判定を容易に行うことが難しい問題がある。このため、上記従来の診療装置では、診療中の患者の生体情報の変化量に基づいて基準値の補正を可能としているが、診療中の医師が基準値の補正だけに専念することが難しい。これらにより、ストレス検知を容易且つ迅速に行うことができない問題がある。
【０００６】
本発明は、このような問題点を考慮してなされたものであり、診療中の患者のストレスを容易且つ迅速に検知することが可能な診療装置を提供することを目的とする。
【課題を解決するための手段】
【０００９】
請求項１記載の診療装置は、診療対象の患者から複数の生体情報を計測する第１生体情報計測手段と、前記複数の生体情報の中から特定の生体情報を抽出する抽出手段と、患者のストレスを評価する評価値を前記特定の生体情報に基づいて設定する評価関数設定手段と、前記評価値に基づいて患者のストレスの判定レベルを設定する判定レベル設定手段と、前記判定レベルを患者のストレスに応じたストレス対応判定レベルに切換える判定レベル切換え手段と、を備えていることを特徴とする。
【００１０】
請求項２記載の発明は、請求項１記載の診療装置であって、前記第1生体情報計測手段が計測する生体情報と異なった生体情報を計測する第２生体情報計測手段をさらに有し、前記評価関数設定手段は、前記特定の生体情報及び前記第２生体情報計測手段の生体情報に基づいて患者のストレスを評価する評価値を設定することを特徴とする。
【００１１】
請求項３記載の発明は、請求項１又は２記載の診療装置であって、前記評価関数設定手段は、前記特定の生体情報に重み付けして平均化することにより前記評価値を設定することを特徴とする。
【００１２】
請求項４記載の発明は、請求項１〜３のいずれか１項記載の診療装置であって、前記評価値と、前記判定レベル又は前記ストレス対応判定レベルとを比較して患者のストレスの大小を判定する判定手段をさらに有していることを特徴とする。
【００１３】
請求項５記載の発明は、請求項１〜４のいずれか１項記載の診療装置であって、前記第1生体情報計測手段は、少なくとも患者の呼吸数、呼吸波形、心拍数、心拍波形、体動のいずれかを計測することを特徴とする。
【００１４】
請求項６記載の発明は、請求項２記載の診療装置であって、前記第２生体情報計測手段は、少なくとも患者の皮膚電位、手掌又は手指での発汗量、手掌又は手指を介しての筋肉の緊張度、血圧の変動、患者の疼痛度合いのいずれかを計測することを特徴とする。
【００１５】
請求項７記載の発明は、請求項４記載の診療装置であって、前記判定手段が患者のストレスを大と判断したとき、これを医師に告知する告知手段、治療器具の出力を低減又は停止する治療制限手段、患者の緊張度合いを緩和する緊張緩和手段のいずれか１つあるいは複数を用いて処置する処置手段をさらに備えていることを特徴とする。
【００１６】
請求項８記載の発明は、請求項７記載の診療装置であって、前記告知手段は、少なくとも前記判定レベルの表示器への表示、判定レベルのインスツルメントへの表示、治療箇所を照明するハンドピースライトの点滅、治療ユニットの無影灯の点滅、ドクターチェア装着のバイブレータの駆動、医師用のバイブレータの駆動又はブザー警報のいずれかを行うことを特徴とする。
【００１７】
請求項９記載の発明は、請求項７記載の診療装置であって、前記緊張緩和手段は、少なくとも治療用椅子の緩やかな振動、ディスプレイの画像表示又はスピーカからの音楽提供のいずれかを行うことを特徴とする。
【発明の効果】
【００３１】
本発明によれば、患者の複数の生体情報の中から抽出した特定の生体情報に基づいて患者のストレスの判定レベルを設定し、この判定レベルを患者のストレスに応じたストレス対応判定レベルに切換えるため、患者のストレスを患者に応じて容易に且つ迅速に検知することができる。又、患者のストレスの判定レベルをストレス対応判定レベルに簡単に切換えることができる。
【００３２】
又、本発明によれば、患者の複数の生体情報の中から抽出した特定の生体情報に基づいて患者のストレスを評価する評価値とし、この評価値によって患者のストレスの判定レベルを設定し、この判定レベルを患者のストレスに応じたストレス対応判定レベルに切換えるため、患者のストレスを患者に応じて容易に且つ迅速に検知することができ、又、患者のストレスの判定レベルをストレス対応判定レベルに簡単に切換えることができる。
【００３３】
又、本発明によれば、上述した患者の生体情報と異なった生体情報を計測し、上述した生体情報と異なった生体情報とに基づいて患者のストレスの評価値を設定し、この評価値に基づいて判定レベルを設定するため、判定レベルを患者のストレスに応じて正確に設定することができる。この場合においても、判定レベルを患者のストレスに応じたストレス対応判定レベルに切換えるため、患者のストレスを患者に応じて容易に且つ迅速に検知することができ、しかも、患者のストレスの判定レベルをストレス対応判定レベルに簡単に切換えることができる。
【図面の簡単な説明】
【００３４】
【図１】本発明の第１実施形態の診療装置の構成を示すブロック図である。
【図２】空気袋センサを取り付けた治療用椅子の斜視図である。
【図３】第１生体情報計測手段が計測した生体情報の波形グラフである。
【図４】抽出手段が抽出した生体情報の波形グラフである。
【図５】ハンドピースの側面図である。
【図６】別のハンドピースの側面図である。
【図７】歯科診療装置の一例の側面図である。
【図８】本発明の第２実施形態の診療装置の構成を示すブロック図である。
【図９】判定レベルを示すグラフである。
【図１０】評価値を示すグラフである。
【図１１】ストレスが大きい場合におけるストレス対応判定レベルを示すグラフである。
【図１２】図１１のストレス対応判定レベルに対応した評価値のグラフである。
【図１３】ストレスが小さい場合におけるストレス対応判定レベルを示すグラフである。
【図１４】図１２のストレス対応判定レベルに対応した評価値のグラフである。
【図１５】本発明の第３実施形態の診療装置の構成を示すブロック図である。
【図１６】生体情報及び評価値の関係を示すグラフである。
【発明を実施するための形態】
【００３５】
以下、本発明を図示する実施形態により具体的に説明する。なお、各実施形態において、同一の部材には同一の符号を付して対応させてある。
【００３６】
（第１実施形態）
図１は、本発明の第１実施形態の構成を示すブロック図であり、第１生体情報計測手段１、抽出手段２、判定レベル設定手段３、判定レベル切換え手段４、判定手段５、処置手段６、記録手段１０を備えている。
【００３７】
第１生体情報計測手段１は、診療対象の患者から複数の生体情報を計測する手段である。第１生体情報計測手段１が計測する生体情報としては、患者の呼吸数、呼吸波形、心拍数、心拍波形、体動の内、少なくとも一つが選択される。生体情報の選択は、患者の年齢、性別、身長、体重等の患者の条件に合わせて行うことができる。
【００３８】
第１生体情報計測手段１は、患者が治療用椅子に着座しているときやベッドで寝ているときに複数の生体情報を計測する。第１生体情報計測手段１としては、特許第３２４２６３１号に開示された空気袋センサを用いることができる。空気袋センサは、空気を封入した柔軟な空気袋内に無指向性マイクロホン、圧力センサ等の検出素子をセットした構造となっている。この空気袋センサの上に、人体が乗った状態における空気圧を検出することにより、呼吸数、呼吸波形、心拍数、心拍波形、患者の体動を計測することができる。従って、空気袋センサを治療用椅子の座部、背もたれ部或いはヘッドレストに取り付け、その上に患者を着座させることにより、診療中の呼吸数の変化、心拍数の変化、呼吸波形、心拍波形、体動を計測することができる。
【００３９】
図２は、空気袋センサ６０を治療用椅子５０に装着した一例を示す。治療用椅子５０は、座部５１及び背もたれ部５２を備えており、空気袋センサ６０は、背もたれ部５２における着座面側に配置される。空気袋センサ６０は、背もたれ部５２に掛け渡された取付ベルト５３によって背もたれ部５２の所定位置に固定される。空気袋センサ６０からは、信号線を被覆したチューブ６２が引き出されており、チューブ６２がコンピュータ等の計測手段に連結されている。このような構造とすることにより、患者が治療用椅子５０に着脱することにより、空気袋センサ６０が患者の背中に接触して患者から複数の生体情報を検出することができる。なお、空気袋センサ６０は、治療用椅子５０の座部５１に配置しても良く、座部５１及び背もたれ部５２の相互に配置しても良い。空気袋センサ６０を医療用ベッドに装着する場合には、ベッドにおける患者の背中部分に相当する部分に固定することにより、患者から複数の生体情報を計測することができる。
【００４０】
図３は、上述した空気袋センサ６０等の第１生体情報計測手段１が計測した患者の生体情報の一例を示す。第１生体情報計測手段１が計測した生体情報は、患者の呼吸数、呼吸波形、心拍数、心拍波形、体動等の生体情報が複合した波形となっている。
【００４１】
抽出手段２は、第１生体情報計測手段１が計測した複数の生体情報（図３）の中から特定の生体情報を抽出する手段である。抽出手段２としては、特定の周波数だけを通過するバンドパスフィルタを用いることができる。バンドパスフィルタは、コンピュータ内に組み込まれており、コンピュータに対して第１生体情報計測手段１からの複数の生体情報を入力することにより特定の生体情報を個々に独立して抽出する。これにより、患者のストレス判定に必要な特定の生体情報を得ることができる。
【００４２】
図４は、抽出手段２によって抽出された特定の生体情報の波形を示し、Ｔ１は、患者の心拍数の波形、Ｔ２は、呼吸数の波形、Ｔ３は、体動の波形である。このように独立するように抽出された特定の生体情報は、判定レベル設定手段３に入力される。
【００４３】
判定レベル設定手段３は、抽出手段２からの特定の生体情報に対し、医師が予め設定した判断基準に基づいて患者のストレスの判定レベルを設定する。この設定は、特定の生体情報（波形）において、所定時間（例えば、３秒）内に所定値以上のピークが所定数発生していることによりなされる。例えば、図４におけるレベルＳ１は、心拍数の波形Ｔ１に対して設定されたストレスの判定レベルである。判定レベルの入力は、判定レベルを制御するコンピュータのキーボードなどの入力手段によって行うことができる。
【００４４】
判定手段５は、判定レベル設定手段３によって設定された特定の生体情報（例えば、心拍数）についての判定レベルと、この特定の生体情報と対応するように抽出手段２で抽出された特定の生体情報（心拍数）とを比較する。判定手段５には、診療中の所定時間中に判定レベルＳ１を超えるピークの数が設定されており、抽出手段２から入力された患者の特定の生体情報の所定時間内におけるピークの数が設定されたピーク数を超える場合に、ストレスが大きいと判定し、設定されたピーク数未満の場合に、ストレスが小さいと判定する。ストレスが大きいと判定したとき、判定手段５は処置手段６に起動信号を出力する。これにより、処置手段６が作動する。ストレスが小さいと判定したとき、判定手段５は処置手段６を起動することがない。
【００４５】
判定レベル切換え手段４は、判定レベル設定手段３が設定した判定レベルを患者のストレスに応じたストレス対応判定レベルに切換える手段である。判定レベル切換え手段４には、判定レベル設定手段３が設定した判定レベル（例えば、Ｔ１）が入力されると共に、抽出手段２から判定レベルに対応した特定の生体情報が入力される。そして、所定時間内で抽出手段２からの波形のピーク数が判定レベルを超えることが多い場合（患者のストレスが大きい場合）、判定レベル切換え手段４は、判定レベル設定手段３が設定した判定レベルをストレス対応判定レベルに切換える。すなわち、ストレス対応判定レベルを判定レベルよりも小さい値とする。
【００４６】
図４におけるレベルＳ２は、このストレス対応判定レベルであり、切換えられたストレス対応判定レベルＳ２は、判定手段５に出力される。判定手段５はストレス対応判定レベルＳ２が入力されると、判定レベルＳ１との比較を中断し、ストレス対応判定レベルＳ２と抽出手段２からの特定の生体情報（例えば、Ｔ１）とを比較する。そして、所定時間内でストレス対応判定レベルＳ２を超える特定の生体情報のピーク値が設定されたピーク数を超える場合に、ストレスが大きいと判定し、設定されたピーク数未満の場合にストレスが小さいと判定する。ストレスが大きいと判定したとき、判定手段５は処置手段６に起動信号を出力する。これにより、処置手段６が作動する。ストレスが小さいと判定したとき、判定手段５は処置手段６を起動することがない。
【００４７】
一方、所定時間内における抽出手段２からの波形のピーク数が判定レベルを超えることが少ない場合（患者のストレスが小さい場合）、判定レベル切換え手段４は、判定レベル設定手段３が設定した判定レベルをより小さな値のストレス対応判定レベルに切換える。この場合においても、判定手段５は、判定レベル設定手段３が設定した判定レベルに代えてストレス対応判定レベルＳ２を用いて抽出手段２からの生体情報を同様に判定する。
【００４８】
なお、判定レベル切換え手段４としては、手動の切換えスイッチを用いても良く、診療中の医師が患者の状態を見て、疼痛等のストレスが大きいと判断したとき、医師が手動の切換えスイッチを操作してストレス対応判定レベルＳ２に切換えるようにしても良い。同様に、ストレスが小さいと判断したときには、手動の切換えスイッチへの操作によって小さな値のストレス対応判定レベルに切換えることができる。
【００４９】
このような実施形態では、患者の複数の生体情報の中から抽出した特定の生体情報に基づいて患者のストレスの判定レベルを設定し、この判定レベルを患者のストレスに応じたストレス対応判定レベルに切換えるため、患者のストレスを患者に応じて容易に且つ迅速に検知することができる。又、ストレス対応判定レベルへの切換えを簡単に行うことができる。
【００５０】
記録手段１０は、判定レベル設定手段３が設定した判定レベル及び判定レベル切換え手段４が切換えたストレス対応判定レベルを記録する。判定レベル及びストレス対応判定レベルは、患者毎に記録されており、その患者が診療を行う際に、記録手段１０はこれらのレベルを判定手段５に出力する。これにより、診療の都度、患者毎の判定レベル及びストレス対応判定レベルを設定する必要がなく、迅速な診療が可能となる。
【００５１】
処置手段６は、判定手段５が患者のストレスが大きいと判断したときに、診療に必要な処置を行う手段である。処置手段６としては、患者のストレスを医師に告知する告知手段１３、患者の緊張度合いを緩和する緊張緩和手段１４、治療器具の出力を低減又は停止する治療制限手段１５のいずれか１つ又は複数が用いられる。
【００５２】
告知手段１３としては、判定レベルの表示器への表示、判定レベルのインスツルメントへの表示、治療箇所を照明するインスツルメントのハンドピースライトの点滅、治療ユニットの無影灯の点滅、ドクターチェア装着のバイブレータの駆動、医師着用のバイブレータの駆動、ブザー警報等の内の一種又は複数が選択される。
【００５３】
告知手段１３における表示器での判定レベルの表示としては、レベルメータでの表示、ＬＥＤ点灯での表示、数値での表示、照度変化や色彩変化による表示、文字や図形による表示を例示することができる。
【００５４】
図５は、診療として歯科診療を選択した場合における歯科診療に用いるインスツルメント用器具の一種であるハンドピース７１を示す。ハンドピース７１の先端には、歯の切削を行うバー７２が着脱自在に装着されており、バー７２に近接した位置にハンドピースライト７３が配置されている。ハンドピースライト７３は、歯の治療中に点灯して治療箇所を照明するように使用される。このハンドピースライト７３を点灯状態から点滅状態に切換えることにより、医師は患者のストレスを治療中に知ることができる。これにより、医師による適宜の処置が促進される。
【００５５】
図６は、同様に診療を歯科診療とした場合におけるハンドピース７１による告知を示す。図６のハンドピース７１においては、医師が把持するグリップ７４にＬＥＤ等の発光ランプ７５が複数配置されている。この発光ランプ７５を点灯することにより、患者のストレスを医師に告知することができる。この場合、複数の発光ランプ７５の点灯数を変えることにより、体調変化やストレスの大小に対応させることができる。
【００５６】
治療ユニットの無影灯は、診療の際に医師が操作して点灯するが、この照明を点滅に切り替えることにより告知を行うことができる。
【００５７】
また、ドクターチェアの座部にバイブレータを配置したり、術者の体にバイブレータを装着し、これらのバイブレータを駆動することにより、医師にだけ告知を行うことができる。さらに、治療ユニットにブザーを配置し、ブザーを駆動した音により告知することもできる。
【００５８】
緊張緩和手段１４としては、治療用椅子を緩やかに振動させて着座している患者の緊張を緩和させたり、治療用椅子近辺に配置したディスプレイに娯楽等の画像を表示したり、あるいはスピーカから音楽を供給することにより行うことができる。
【００５９】
治療制御手段１５は、診療中における治療器具の出力を制限するものである。例えば、歯科診療の場合には、インスツルメントへの出力を制御する。この出力の制御は、判定手段５が判定した患者のストレスの大きさに応じて行うことができる。具体的には、患者のストレスの数値が基準値よりも、例えば２０％程度大きい場合には、インスツルメントの出力を例えば５０％程度に低減し、それ以上の場合には、インスツルメントへの出力を停止する等によって制御することができる。
【００６０】
図７は、この実施形態の診療装置を歯科治療装置に組み込んだ一例を示す。座部８１ａ、背もたれ部８１ｂ及びヘッドレスト８１ｃからなる治療用椅子８１の周囲に、ディスプレイ８２、スピットン８８、無影灯８６、インスツルメントハンガー８４が配置されており、インスツルメントハンガー８４にはインスツルメント８３が掛けられている。インスツルメント８３はフットスイッチ８５によって駆動の開始、停止が行われる。８７は術者（医師）のドクターチェアである。
【００６１】
図７に示す歯科治療装置では、治療用椅子８１、ディスプレイ８２、インスツルメント８３、フットスイッチ８５、無影灯８６、ドクターチェア８７が制御コンピュータ８９に有線或いは無線によって接続されている。治療用椅子８１には、空気袋センサ（図示省略）が取り付けられ、患者の着座を検知すると共に、着座した患者の呼吸数、心拍数が計測されて、そのデータが制御コンピュータ８９に出力される。これにより、制御コンピュータ８９は患者のストレスの大小を判定する。
【００６２】
患者のストレスを判定したとき、制御コンピュータ８９はディスプレイ８２、インスツルメント８３、フットスイッチ８５、無影灯８６、ドクターチェア８７のいずれかを制御する。例えば、ディスプレイ８２に対しては、画像の表示を行うように制御して患者の緊張緩和を促す。インスツルメント８３、フットスイッチ８５に対しては、出力の低減や停止の制御を行う。
【００６３】
又、制御コンピュータ８９は、インスツルメント８３のハンドピースライト７３（図５参照）や無影灯８６に対し、その点滅を行うように制御する。インスツルメント８３の発光ランプに対しては、その点灯制御を行う。ドクターチェア８７に対しては、装着されているバイブレータを駆動する。これらの作動によって、患者のストレスを医師に告知することができる。
【００６４】
（第２実施形態）
図８は、本発明の第２実施形態の診療装置のブロック図を示し、第１生体情報計測手段１、抽出手段２、判定レベル設定手段３、判定レベル切換え手段４、判定手段５及び処置手段６を備え、処置手段６は告知手段１３、緊張緩和手段１４、治療制限手段１５を備えている。これらの構成は、上述した第１実施形態と同様である。
【００６５】
この実施形態においては、評価関数設定手段２１が設けられている。評価関数設定手段２１は、抽出手段２と判定レベル設定手段３との間に挿入されており、抽出手段２が抽出した患者の特定の生体情報が入力される。
【００６６】
評価関数設定手段２１は、患者のストレスを評価する評価値を抽出手段２からの特定の生体情報に基づいて設定する手段である。評価関数設定手段２１によるストレスの評価値は、抽出手段２からの特定の生体情報に重み付けして平均化することにより行われる。次に、評価関数設定手段２１によるストレスの評価値の設定を説明する。
【００６７】
抽出手段２においては、第１生体情報計測手段１からの複数の生体情報をバンドパスフィルタにより特定の生体情報に分離する。例えば、抽出手段２は、図４に示すように、心拍数Ｔ１、呼吸数Ｔ２、体動Ｔ３の波形に分離する。これらの波形情報は、評価関数設定手段２１に入力される。
【００６８】
評価関数設定手段２１においては、抽出された心拍数Ｔ１、呼吸数Ｔ２、体動Ｔ３の波形に対してそれぞれ重み係数α、β、γを乗じた後、これらの値を加算し、抽出した波形の数によって除することにより評価値Ｙを求める。すなわち、各時間における心拍数Ｔ１、呼吸数Ｔ２、体動Ｔ３のそれぞれの値をａ，ｂ，ｃとしたとき、式（１）の計算を行って評価値Ｙを求める。以上の係数α、β、γの値は、重要な生体情報に対しては大きく、そうでない場合は小さく設定することができる。又、係数α、β、γの値は、評価値Ｙが判定レベルと対応できる範囲の数値となるように任意に設定される。
【００６９】
Ｙ＝（（ａ×α）＋（ｂ×β）＋（ｃ×γ））／３  …式（１）
【００７０】
このように複数の生体情報を重み付けし平均化することによって求めた評価値Ｙを用いることにより、信頼度の高い判定を行うことができる。
【００７１】
求められた評価値Ｙは、判定レベル設定手段３に出力され、判定レベル設定手段３は、評価値Ｙに対し、医師が予め設定した判断基準に基づいて判定レベルを設定する。設定された判定レベルは判定手段５に出力され、判定手段５が抽出手段２からの特定の生体情報と比較して患者のストレスの大小が判定する。
【００７２】
図９は、判定レベル設定手段３における評価値と判定レベルとの関係を示すグラフである。図９においては、判定レベルが「５」を境にして、「５」を超えた場合、判定手段５は患者のストレスが大きいと判断し、「５」を超えない場合にはストレスが小さいと判断する。すなわち、「２００」の評価値を境にしてストレスの大小を判断する。図１０は、評価関数設定手段２１によって設定された評価値の波形を示し、波形のピークが「５」の判定レベルを超えた場合、判定手段５は患者のストレスが大きいと判断し、処置手段６に駆動信号を出力する。これにより、第１実施形態と同様に告知手段１３、緊張緩和手段１４、治療制限手段１５が作動する。
【００７３】
この実施形態の判定レベル切換え手段４は、評価関数設定手段２１が設定した評価値に基づいて判定レベルを切換えることにより、患者のストレスに応じたストレス対応判定レベルとするものである。例えば、図１０における評価値波形において、「５」の判定レベルを超える波形ピークが所定時間（例えば１分）が所定数（例えば３回）以上の場合や、「５」の判定レベルを大きく超えた場合、判定レベル切換え手段４は図１１に示すストレス対応判定レベルのグラフに切換える。これにより、「５」の判定レベルに対応する評価値は「１００」となり、「１００」の評価値を境にしてストレスの大小を判断する。図１２は、評価関数設定手段２１が設定した評価値であり、「１００」が患者のストレスの大小の判定基準となっている。このように、判定レベル切換え手段４が図１１に示すストレス対応判定レベルに切換えることにより判断レベルが低くなる。このため、ストレスに過敏な体質の患者に対する処置を迅速に行うことができる。
【００７４】
一方、図１０における評価値波形において、「５」の判定レベルを超える波形ピークが所定時間（例えば１分）が所定数（例えば３回）以下である場合や、「５」の判定レベルを超えない波形の場合、判定レベル切換え手段４は図１３に示すストレス対応判定レベルのグラフに切換える。これにより、「５」の判定レベルに対応する評価値は「２５６」となり、「２５６」の評価値を境にしてストレスの大小を判断する。図１４は、評価関数設定手段２１が設定した評価値であり、「２５６」が患者のストレスの大小の判定基準となっている。このように、判定レベル切換え手段４が図１３に示すストレス対応判定レベルに切換えることにより判断レベルが高くなる。このため、ストレスに強い体質の患者に対応することができる。
【００７５】
以上の判定レベル切換え手段４は、医師の判断によっても動作させることができる。診療中の患者がストレス（痛み）に過敏な体質であると判断した場合、医師は、手動の切換えスイッチを操作して図１１のストレス対応判定レベルに切換える。これにより、判定レベルが低くなるため、図１２に示すように、判定手段５は、「１００」の評価関数を境としてストレスの大小を判定する。又、患者がストレスに強い体質であると判断した場合、医師は、手動の切換えスイッチを操作して図１３のストレス対応判定レベルに切換える。これにより、判定レベルが高くなるため、判定手段５は「２５６」の評価値を境としてストレスの大小を判定する。
【００７６】
このような実施形態によれば、患者の複数の生体情報の中から抽出した特定の生体情報に基づいて患者のストレスを評価する評価値とし、この評価値によって患者のストレスの判定レベルを設定し、この判定レベルを患者のストレスに応じたストレス対応判定レベルに切換えるため、患者のストレスを患者に応じて容易に且つ迅速に検知することができる、又、患者のストレスの判定レベルをストレス対応判定レベルに簡単に切換えることができる。
【００７７】
（第３実施形態）
図１５は、本発明の第３実施形態の診療装置のブロック図を示し、第１生体情報計測手段１、抽出手段２、評価値設定手段２１、判定レベル設定手段３、判定レベル切換え手段４、判定手段５及び処置手段６を備え、処置手段６は告知手段１３、緊張緩和手段１４、治療制限手段１５を備えている。これらの構成は、上述した第２実施形態と同様である。
【００７８】
この実施形態では、第２生体情報計測手段２３が設けられている。第２生体情報計測手段２３は、第１生体情報計測手段１が計測する生体情報と異なった生体情報を患者から計測する手段である。
【００７９】
第２生体情報計測手段２３の計測する生体情報としては、患者の皮膚電位、手掌又は手指での発汗量、手掌又は手指を介しての筋肉の緊張度、血圧の変動、患者の疼痛度合いのいずれか又は複数を用いることができる。皮膚電位は、患者の手指に電極を取り付けて電位の変化を計測することにより得ることができる。発汗量は、患者の手指から発生する汗量の変化を計測することにより得ることができる。筋肉の緊張度は、患者の手掌、手指に検出クリップを取り付け、患者の筋肉内の電流変化を検出することにより得ることができる。血圧の変動は、患者の手指にＳＰＯ２を取り付けることにより得ることができる。患者の疼痛の度合いは、患者に痛みスイッチを持たせ、痛みを感じたときにスイッチを入れることにより得ることができる。
【００８０】
第２生体情報計測手段２３が計測した生体情報は、評価関数設定手段２１に入力される。これにより、評価関数設定手段２１は抽出手段２からの特定の生体情報と、第２生体情報計測手段２３からの生体情報に基づいて評価関数を設定する。図１６（ａ）は、空気袋センサ６０によって検出された患者の生体情報のデータであり、Ａ、ＢはＳＰＯ２の波形、Ｃは治療用椅子における座部での心拍数、Ｄは座部での呼吸数、Ｅは治療用椅子における背もたれ部での心拍数、Ｆは背もたれ部での呼吸数である。Ｇは痛みレベル、Ｈは痛みスイッチからの入力データ、Ｉは発汗量である。図１６（ｂ）は、評価関数設定手段２１による評価値Ｙのグラフである。
【００８１】
この実施形態においては、患者が疼痛を感じたとき、第２生体情報計測手段２３としての痛みスイッチをＯＮしている。この痛みスイッチのデータは、評価関数設定手段２１に入力され、評価関数設定手段２１により図１６（ｂ）で示す評価値Ｙのグラフが作成される。このとき、痛みスイッチがＯＮされた時点での重み係数を大きな数値として評価値Ｙを設定することにより、患者の疼痛に合わせた評価値Ｙとすることができる。
【００８２】
このような実施形態によれば、第２生体情報計測手段２３が第１生体情報計測手段１の生体情報と異なった生体情報を計測し、これに基づいて患者のストレスの評価値を設定するため、判定レベルを患者のストレスに応じて正確に設定することができる。又、判定レベルを患者のストレスに応じたストレス対応判定レベルに切換えるため、患者のストレスを患者に応じて容易に且つ迅速に検知することができ、しかも、患者のストレスの判定レベルをストレス対応判定レベルに簡単に切換えることができる。
【図１】
0005607912.tif 000002
【図２】
0005607912.tif 000003
【図３】
0005607912.tif 000004
【図４】
0005607912.tif 000005
【図５】
0005607912.tif 000006
【図６】
0005607912.tif 000007
【図７】
0005607912.tif 000008
【図８】
0005607912.tif 000009
【図９】
0005607912.tif 000010
【図１０】
0005607912.tif 000011
【図１１】
0005607912.tif 000012
【図１２】
0005607912.tif 000013
【図１３】
0005607912.tif 000014
【図１４】
0005607912.tif 000015
【図１５】
0005607912.tif 000016
【図１６】
0005607912.tif 000017